(57)【要約】【課題】携帯電子機器の部品点数を少なくすることを目的とする。【解決手段】携帯電話機は、外面の少なくとも一部が開放された外面開口と内部空間への水の浸入を遮断する防水壁７６とを有し、回路基板８を収容し、一体に構成されるケース７を備える。更に、携帯電話機は、外面開口を覆蓋するキースイッチ基板９と、使用者が操作する際にケース７における使用者に対向する面を正面とした場合に、正面に直交する側面に沿って配置され、防水壁７６を貫通して回路基板８に接続される通話用アンテナ８２及び／又はＴＶ用ロッドアンテナ８０と、を備える。【選択図】図２
2013074343.tif 000002
【特許請求の範囲】
【請求項１】
外面の少なくとも一部を開放する外面開口を有し、回路基板を収容し、一体に構成される筐体と、
前記外面開口を覆蓋するシート状部材と、
使用者が操作する際に前記筐体における使用者に対向する面を正面とした場合に、前記正面に直交する側面に沿って配置されるアンテナと、を備える、
ことを特徴とする携帯電子機器。
【請求項２】
前記筐体は、内部空間への水の浸入を遮断する防水壁を有し、
前記アンテナは、前記防水壁を貫通して前記回路基板に接続される、
ことを特徴とする請求項１に記載の携帯電子機器。
【請求項３】
前記筐体は、底面と、前記底面の端に配置されて前記底面に連続する一対の側面と、前記一対の側面それぞれの上端に配置されて前記各側面に連続する一対のオーバーハング部を有し、
前記一対のオーバーハング部の間に前記外面開口が形成されている、
ことを特徴とする請求項１又は２に記載の携帯電子機器。
【請求項４】
前記シート状部材は、前記筐体に接着されて、前記外面開口を水密に封止している、
ことを特徴とする請求項１乃至３のいずれか１項に記載の携帯電子機器。
【請求項５】
前記アンテナは、通話用及びデータ通信用アンテナ及びＴＶ用アンテナの少なくともいずれか１つである、
ことを特徴とする請求項１乃至４のいずれか１項に記載の携帯電子機器。
【請求項６】
前記筐体は、底面と、前記筐体の内部に前記底面から立ち上がる突起部とを備え、
前記突起部は、前記筐体の他の部分とは別に成型されて、前記筐体の他の部分の成型後に前記底面に結合されて前記筐体内に形成される、
ことを特徴とする請求項１乃至５のいずれか１項に記載の携帯電子機器。
【請求項７】
前記筐体は、前記外面開口に対向するように他の面の一部が開放された他の開口を有し、
前記他の開口と前記外面開口の間にあって前記筐体の両側面を連結するダミーリブを備えて成型され、
前記ダミーリブは、前記筐体の成型後に切除される、
ことを特徴とする請求項１乃至６のいずれか１項に記載の携帯電子機器。
【請求項８】
前記アンテナの前記防水壁を貫通する部位と前記防水壁とに、パッキンが密着している、
ことを特徴とする請求項２に記載の携帯電子機器。
【請求項９】
前記筐体内に設けられ、画像を撮像及び／又は映像を撮影するカメラと、
前記筐体に形成され前記カメラのレンズを露出する孔を前記筐体の外面から覆い、前記カメラの周囲空間を水密に封止する封止部材と、を更に備える、
ことを特徴とする請求項１乃至８のいずれか１項に記載の携帯電子機器。
【発明の詳細な説明】
【技術分野】
【０００１】
本発明は、携帯電子機器に関する。
【背景技術】
【０００２】
現在、携帯電話、携帯情報端末、電子辞書、電子手帳、電子書籍、計算機、携帯型のパーソナルコンピュータ等の、各種の携帯通信機器や携帯情報機器である携帯電子機器が世間一般に普及している。また、これらの携帯電子機器は、カメラ、通話用及びデータ通信用アンテナ及びＴＶ用ロッドアンテナ等を備え、カメラ撮像（撮影）機能、ワンセグ視聴機能や電磁データ送受信機能等の多機能を有するものが多くある。
【０００３】
従来の携帯電子機器において、上部筐体（携帯電子機器の筐体の部分であって、使用者が携帯電子機器を操作する場合に、使用者と対面する面（以下、「上面」という）を含む部分を言う。なお、上部筐体には、一般に、携帯電子機器の操作入力装置（例えば、キーボード）や表示装置（例えば、液晶ディスプレイ）等が配置される）と、下部筐体（携帯電子機器の筐体の部分であって、前記上面と対向する面（以下、「底面」という）を含む部分、言い替えれば、携帯電子機器の筐体の部分であって、使用者が携帯電子機器を操作する場合に、使用者から見て裏側になる面を含む部分を言う）と、を別個に成型して、両者を結合して携帯電子機器の筐体を組み立てていた。
【０００４】
例えば、特許文献１には、上部筐体と下部筐体とのはめ合いによって形成される内部空間に、アンテナその他の実装部品を保持する携帯端末装置の筐体構造が開示されている。
【先行技術文献】
【特許文献】
【０００５】
【特許文献１】特開２００９−２６８１５４号公報
【発明の概要】
【発明が解決しようとする課題】
【０００６】
特許文献１に開示された携帯端末装置の筐体（以下、「従来の筐体」という）は、上部筐体と下部筐体を締結するための締結要素（例えばビス）を必要とする。また、筐体を防水構造とするために上部筐体と下部筐体の間にゴムパッキン（又は樹脂パッキン）等を挟み込む必要がある。
【０００７】
そのため、従来の筐体には、構成部品の点数が多く、組立工数が多いという問題があった。言うまでもないことだが、部品点数や工数の増加は、製造コストの上昇につながる。
【０００８】
また、筐体の防水性を確保するために、ゴムパッキン等を圧縮して上部筐体と下部筐体を満遍なく密着させる必要がある。そのために、ゴムパッキン等が無い場合と比較して締結要素（ビス等）の点数が多くする必要があるため、部品点数や工数が更に増加する。
【０００９】
本発明は以上のような背景に鑑みて成されたものであり、携帯電子機器の部品点数を少なくすることを目的とする。
【課題を解決するための手段】
【００１０】
本発明に係る携帯電子機器は、
外面の少なくとも一部を開放する外面開口を有し、回路基板を収容し、一体に構成される筐体と、
前記外面開口を覆蓋するシート状部材と、
使用者が操作する際に前記筐体における使用者に対向する面を正面とした場合に、前記正面に直交する側面に沿って配置されるアンテナと、を備える、
ことを特徴とする。
【発明の効果】
【００１１】
本発明によれば、携帯電子機器の部品点数を少なくすることができる。
【図面の簡単な説明】
【００１２】
【図１】本発明の第１の実施形態に係る携帯電話機を示す斜視図である。
【図２】携帯電話機を上側から示す分解斜視図である。
【図３】携帯電話機を下側から示す分解斜視図である。
【図４】携帯電話機を示す側面図である。
【図５】（Ａ）は、図４に示された操作部のＡ−Ａ’断面を示す図である。（Ｂ）は、図４に示された操作部のＢ−Ｂ’断面を示す図である。
【図６】操作部を下側から示す斜視図である。
【図７】（Ａ）は、図６に示された操作部のI０断面を示す図である。（Ｂ）は、図６に示された操作部のII０断面を示す図である。（Ｃ）は、図６に示された操作部のIII０断面を示す図である。（Ｄ）は、図６に示された操作部のIV０断面を示す図である。
【図８】変形例１に係る操作部の断面を示す図である。
【図９】変形例２に係る操作部の断面を示す図である。
【図１０】変形例３に係る操作部の断面を示す図である。
【図１１】（Ａ）は、変形例４に係る携帯電話機を示す側面図である。（Ｂ）は、（Ａ）に示された操作部のＣ−Ｃ’断面を示す図である。
【図１２】本発明の第２の実施形態に係る携帯電話機を上側から示す分解斜視図である。
【発明を実施するための形態】
【００１３】
以下、本発明を実施するための形態を、図面を参照しながら説明する。
【００１４】
＜第１の実施形態＞
図１に示された携帯電話機１Ａは、本発明の第１の実施形態を示す携帯電子機器であり、表示部２と操作部３とからなる、いわゆる折り畳み型の携帯電話機である。また、表示部２と操作部３とは回動軸４を介して互いに連結されている。また、表示部２は、文字、図形、画像を表示する液晶ディスプレイ５を備えて、使用者に各種の情報を提示するモジュールである。操作部３は、操作入力キー６を備えて、使用者が携帯電話機１Ａに対して各種の操作入力を行うモジュールである。
【００１５】
次に、操作部３の各部品について、図２〜図５を参照して説明する。
【００１６】
操作部３は、操作入力部として、ケース（筐体）７の上面（後述するオーバーハング部７ｃの上面）に貼り付けられるキーシート１２、キーシート１２の直下に設けられケース７内に収容されるキースイッチ基板（シート状部材）９及びケース７内に収容される回路基板８を備える。
【００１７】
更に、操作部３は、各種機能を実行するものとして、カメラ５０、ＴＶ用ロッドアンテナ８０、通話用及びデータ通信用アンテナ８２（以下、通話用アンテナ８２と記載）、並びに携帯電話機１Ａに電力を供給する電池１０を備える。
【００１８】
ケース７は、操作部３の外殻を構成する構造体、つまり筐体に相当するものである。詳細については後述するが、従来の筐体が上部筐体と下部筐体とが組み合わされて構成されていたのに対して、本実施形態におけるケース７は一体で形成されている。また、ケース７の端部にはヒンジ部４０が形成されており、ヒンジ部４０内に設けられた回転ヒンジ４２及び回転軸４を中心に、表示部２と操作部３とが開閉する。また、ケース７は、後述する通話用アンテナ８２を覆い、ケース７の側面上部に組み付けられヒンジ部４０の一部を構成するアンテナカバー７０２を備える。
【００１９】
キースイッチ基板９は、操作入力キー６を備えるキーシート１２と組み合わされて操作入力部を構成するプリント回路基板であり、感圧センサを備える。つまり、操作入力キー６が押圧されると、キーシート１２が変形し、キースイッチ基板９の感圧センサがそれを感知して、操作入力が行われる。
【００２０】
キーシート１２は、例えば、シリコンゴムやフッ素ゴムなどの防水性の素材で形成されたシートであり、操作入力キー６に押圧力が加わると変形して、その押圧力をキースイッチ基板９上の感圧センサに伝達する。一方、キーシート１２は、押圧力が加わらない場合には所定の形状に保たれるような程度の適度な柔軟性を有する。
【００２１】
また、操作入力キー６の表面には、図形あるいは文字が表示されており、操作入力キー６上の特定の図形・文字が表示された部位が押圧されると、当該図形・文字に対応する操作入力が回路基板８に搭載された図示せぬ制御部へと成されることとなる。
【００２２】
回路基板８は、携帯電話機１Ａに必要な電子回路が形成されたプリント回路基板である。
【００２３】
カメラ５０は、ケース７の底面に形成された孔７２にレンズが対向するように、ケース７の内部に配設されている。
【００２４】
ＴＶ用ロッドアンテナ８０は、基端部を中心に折曲及び回転可能であり、長手方向に伸縮可能な構成を備え、使用者の使用状態に応じて変形可能であり、収縮した状態でケース７の側面に形成された溝７４内に収納可能である。ＴＶ用ロッドアンテナ８０は、図７（Ｃ）を参照して後述するが、基端部が防水壁７７を貫通して回路基板８に接続される。
【００２５】
通話用アンテナ８２は、金属板から成り、図７（Ｂ）を参照して後述するが、基端部が防水壁７６の一端部を貫通して回路基板８に接続され、ヒンジ部４０の内部にヒンジ部４０に沿うように配置される。なお、通話用アンテナ８２は、無線特性上、使用者の手に触れないようにすることが好ましく、このため、アンテナカバー７０２に覆われて、外部に露出しないようにケース７内に配置される。
【００２６】
配線６０は、回路基板８と液晶ディスプレイ５に接続された表示基板（不図示）とを接続するもので、図７（Ｄ）を参照して後述するが、一端が防水壁７６の他端部を貫通して回路基板８に接続され、ヒンジ部４０の内部に回転軸４に沿うように配置され、表示部２内で表示基板（不図示）と接続されている。
【００２７】
次に、操作部３を構成し上下一体として形成されたケース７及び各部品について、説明する。
【００２８】
上述のように、操作部３のケース７の内部には、回路基板８、キースイッチ基板９及び電池１０が実装されている。また、図５（Ａ）に示すように、ケース７の上面の一部は、切り開かれた上面開口（外面開口）１１が形成され、上面開口１１はキーシート１２で覆蓋されている。また、図５（Ｂ）に示すように、ケース７は、電池１０の下方に位置するケース７の底面が切り開けられて形成された底面開口（他の開口）１３を有する。底面開口１３は電池蓋１４で塞がれている。なお、ケース７と電池蓋１４の端縁は、互いに嵌り合う向きで鉤状の断面を有するように形成されており、この端縁が互いに嵌合するようにして、ケース７に電池蓋１４が固定されている。また、この端縁に沿って電池蓋１４がスライドされることで、電池蓋１４がケース７から取り外されることとなる。
【００２９】
図５（Ａ）及び（Ｂ）から明らかなように、ケース７は、上面（キーシート１２が取り付けられた面）から底面（上面と対向する面）まで連続して、一体に構成されている。つまり、ケース７は、上部筐体と下部筐体とが分かれて構成される従来の筐体の構成とは異なるものである。さらに詳しく説明すると、ケース７の横断面形は、底面７ａと、底面７ａの両端に連続する側面７ｂと、側面７ｂの上部と連続して、上面の一部を構成するオーバーハング部７ｃを備えて構成されている。また、上面開口１１は、左右のオーバーハング部７ｃの間に形成されている。
【００３０】
このように、ケース７の横断面形は、オーバーハング部７ｃを含んで全体として「Ｃ」字形を成しているので、ケース７は曲げ剛性が高い。特に、オーバーハング部７ｃがケース７の曲げ剛性の向上に大きく寄与している。
【００３１】
なお、ケース７の素材は合成樹脂（例えばＡＢＳ樹脂）であり、射出成型によって形成される。また、射出成型に使用する金型は、スライド自在に取り付けられたスライド片（図示しない）を備える。このスライド片によって、底面７ａ、側面７ｂ及びオーバーハング部７ｃで囲まれる空間１５が形成される。スライド片は金型にスライド自在に取り付けられているので、スライド片は、空間１５を形成後（ケース７を成型後）に側面７ｂから離れる方向（中央方向）にスライド移動させられ、上面開口１１を通って上方に抜き取られる。このように、スライド片は、ケース７を成型後に、オーバーハング部７ｃと干渉せずに容易に取り外される。また、金型にスライド片を備えると、スライド片の位置に応じて側面７ｂの肉厚を容易に変更できるため、成型時にヒケ（凹み）が生じないような寸法に側面７ｂの肉厚を適切に設定することができる。
【００３２】
また、キーシート１２の下面の周縁部は、ケース７の上部に形成されたオーバーハング部７ｃの上面に、防水両面テープ１６によって接着固定される。なお、防水両面テープ１６は接着後に十分な水密性を有するものである。このように構成されるので、ケース７の上面開口１１にキーシート１２が接着されていることによって、ケース７内に水が浸入することが防がれる。
【００３３】
次に、フレーム７を貫通する部位の防水構造について、図６及び図７を参照して説明する。
【００３４】
まず、図６における矢印I方向でI０断面を示す図７（Ａ）を参照して、カメラ５０近傍の防水構造部について説明する。カメラ５０近傍の防水構造部は、中央の開孔にアクリル板５０４が埋設された化粧板（封止部材）５０２と、化粧板５０２の下面（図７（Ａ）に示された下面）の周縁とフレーム７の上面（図７（Ａ）に示された上面）の孔７２の周囲に貼り付けられる防水両面テープ５００と、によって構成される。
【００３５】
化粧板５０２は、アクリル板５０４がカメラ５０のレンズ（不図示）に対向するように、防水両面テープ５０２によってフレーム７に取り付けられる。化粧板５０２とフレーム７とは、防水両面テープ５０２によって密着され、ケース７の内部及びカメラ５０への水の浸入を防ぐ。このような、構成により、カメラ５０を防水するために大きな筐体を取り付けることなく、防水両面テープ５０２を有する小さな化粧板５０２を取り付けることで容易に防水構造を備えさせることができる。
【００３６】
次に、図６における矢印II方向でII０断面を示す図７（Ｂ）を参照して、通話用アンテナ８２近傍の防水構造部について説明する。通話用アンテナ８２自体は浸水しても不良が生じないが、フレーム７内に水が浸入するのを防ぐために、通話用アンテナ８２における防水壁７６を貫通する部位に防水構造を設ける必要がある。通話用アンテナ８２近傍の防水構造部は、フレーム７の一部である防水壁７６とアンテナ８２とに密着するパッキン８２０によって構成され、ケース７内部への水の浸入が防がれる。
【００３７】
次に、図６における矢印III方向でIII０断面を示す図７（Ｃ）を参照して、ＴＶ用ロッドアンテナ８０近傍の防水構造部について説明する。ＴＶ用ロッドアンテナ８０近傍の防水構造部は、フレーム７の一部である防水壁７７の内面とＴＶ用ロッドアンテナ８０の外面とに密着するＯ−リング（パッキン）８００によって構成される。
【００３８】
ＴＶ用ロッドアンテナ８０は、フレーム７側面に形成された溝７４に対向する位置から差し込まれ、防水壁７７を貫通して回路基板８に接続されている。この貫通部の外面と、防水壁７７の内面との間にＯ−リング８００が密着することで、ケース７内部への水の浸入を防ぐ。なお、ＴＶ用ロッドアンテナ８０は、Ｏ−リング８００を圧縮させ防水壁７７に密着させた状態となるように、ネジ８０２にてケース７に固定される。
【００３９】
次に、図６における矢印IV方向でIV０断面を示す図７（Ｄ）を参照して、配線６０近傍の防水構造部について説明する。配線６０自体は、絶縁性を有する合成樹脂チューブにその周囲を覆われており、このチューブによって通話用アンテナ８２内部の導線は防水されている。よって、配線６０自体は浸水しても不良が生じないが、フレーム７内に水が浸入するのを防ぐために、配線６０における防水壁７６を貫通する部位に防水構造を設ける必要がある。配線６０近傍の防水構造部は、フレーム７の一部である防水壁７６の内面と配線６０の外面とに密着するＯ−リング（パッキン）６００によって構成され、ケース７内部への水の浸入が防がれる。
【００４０】
次に、図２及び図３を参照して、携帯電話機１Ａの組立手順を説明し、これに伴って、防水機能を実現する構造について説明していく。
【００４１】
表示部２と操作部３を繋ぐ配線６０をヒンジ４０側から差し込み、ケース７の防水壁７６を貫通させ、回路基板８と接続する。このとき、Ｏ−リング６００によって防水壁７６の貫通穴が封止されることで、ケース７の内部へ水が浸入することが防がれる。
【００４２】
次に、電池開口部７０からケース７内に電池１０を組み込んだ後、電池開口部７０を覆うようにパッキン１４０が貼着された電池カバー１４を取り付ける。このようにすると、パッキン１４０がケース７の底面に密着することで、電池開口部７０からケース７の内部へ水が浸入することが防がれる。
【００４３】
次に、回路基板８とキースイッチ基板９を組込んだ後、防水両面テープ１６の上下面をキーシート１２の下面の周縁とオーバーハング部７ｃの上面に貼り付ける。このようにすると、上面開口１１からケース７の内部へ水が浸入することが防がれる。
【００４４】
次に、アンテナカバー７０２を、通話用アンテナ８２が配設されたケース７の開放部に取り付けることを最後に組立てが完了するが、通話用アンテナ８２の収納部は浸水を許容しているため、アンテナカバー７０２は防水構造を持たない外装部品でも構わない。
【００４５】
上記の構成を備える本実施形態にかかる携帯電話機１Ａにおいては、操作部３が、上部筐体と下部筐体とによって構成された従来の筐体の構成と異なり、一体的に構成されているため、容易に組立て可能であり、ケース７の製造工数及び携帯電話機１Ａの組立工数を少なくすることができる。そのため、携帯電話機１Ａの製造コストを減少させることができる。また、上部筐体と下部筐体が一体に構成されているので、ケース７を軽量かつ高強度に構成することができる。
【００４６】
更に、ケース７が、上部筐体と下部筐体とに分かれた従来の筐体の構成とは異なり、一体で形成されているため、上部筐体と下部筐体との間に防水構造を備える必要がそもそも生じない。つまり、それ以外のケース７の内部に通じる部位（カメラ５０近傍、通話用アンテナ８２近傍、ＴＶ用ロッドアンテナ８０近傍及び配線６０近傍）のみに防水構造を備えるようにすればよい。よって、ケース７が一体であるため部品を削減でき、上部筐体と下部筐体との防水のためにパッキンを設ける必要がなく、防水箇所が少ないために防水性を高めることができる。
【００４７】
更に、従来の筐体は、上部筐体と下部筐体とに分かれていたため、上部筐体と下部筐体のそれぞれの突き合わせ部が、パッキンを挟み込み（保持）可能な形状（例えば溝形の形状）を有する必要があった。そして、所定の容積を保ち、かかる構造を備えるようにすると、各筐体が厚くなることによって筐体の外形が大きくなるという問題もあった。対して、本発明によれば、この必要が無いため、ケース７を薄くすることができる。また、ケース７を成形する型を単純化でき、型の製造コストが減少できる。
【００４８】
また、ＴＶ用ロッドアンテナ８０、通話用アンテナ８２及び表示部２と操作部３を繋ぐ配線６０の各部品自体は水に濡れる事の性能劣化が無いため、浸水部に当たる位置に配置することができる。
【００４９】
また、上部筐体と下部筐体の間にゴムパッキン等を挟む必要がないので、経年劣化したゴムパッキン等を交換する煩わしさがない。
【００５０】
更に、通話用アンテナ８２、ＴＶ用ロッドアンテナ８０及び配線６０は、ケース７の底面（下面）に配置されるものではなく、ケース７の側面に配置されている。このため、ケース７の底面を（カメラ５０用の化粧板５０２を除いて）平坦にすることができ、各種デザインを施すキャンバスとして、ケース７の底面を好適に利用することが可能となる。また、ケース７の底面の滑らかな手触り感を使用者に付与することができ、操作感を良好にすることができる。更に、携帯電話機のバリエーションの一つとなり、使用者が購入する際の選択枝の一つとなり得る。結果として、使用者の購買意欲を高めることになる。
【００５１】
なお、ケース７の底面から突出しているのは、カメラ５０を防水するための化粧板５０２のみである。これは、カメラ５０の使用状態においてカメラ５０のレンズがケース７の底面から外に向くようにするのが適当であるため、化粧板５０２はケース７の底面に配置されることとなる。
【００５２】
（変形例１）
図８に示すように、ケース７の内部に、ネジボス（突起部）１７を底面７ａから突出させて、回路基板８を挟み込むようにビス１８をネジボス１７に螺合して、回路基板８をケース７に固定するようにしてもよい。ネジボス１７はケース７の本体部分、つまりネジボス１７以外の部分とは別に成型されて、成型後にケース７の底面７ａ上に溶着して固定される。これは、前述したスライド片とネジボス１７とが配置的に干渉するため、空間１５（図５（Ａ）参照）の形成することが困難であり、ネジボス１７とケース７の本体部分とを同時に成形することが困難であるためである。
【００５３】
（変形例２）
また、図５（Ｂ）に示した横断面では、ケース７を成型用の金型（図示しない）から押し出すインジェクションピン（図示しない）を押し当てるのに適当な部位がないので、ケース７を金型から取り出し難いことがある。そこで、図９に示すように、上面開口１１と底面開口１３の間に、ダミーリブ１９が形成されている構成を採用し、インジェクションピンをダミーリブ１９に押し当てて取り出すようにすればよい。なお、ダミーリブ１９の両端はケース７の側面７ｂの内側に結合されており、ケース７を成型用の金型から取り出した後で、ダミーリブ１９の破線で示される部分は切断除去される。なお、ダミーリブ１９の前記部分を切除した後に残る切り残し部１９ａの大きさを考慮してケース７を設計すれば、つまり、切り残し部１９ａがあってもケース７の内部に必要な容積が確保されるようにケース７を設計すれば、仕上げ加工（例えば、研削加工）を行って、切り残し部１９ｂを除去する必要がなくなる。
【００５４】
（変形例３）
あるいは、図１０に示すように、ケース７が、側面７ｂの一部が切り開けられて形成された側面開口２０を有するようにしても良い。側面開口２０は、例えば、回路基板８上の外部インターフェイス（不図示）に接続されるケーブル（不図示）等を通す開口であって、ケーブル等を通さないときは、目隠しカバー２１で閉塞される。なお、側面７ｂはケース７の成型時にヒケ（凹み）が生じやすい部位であり、このような部位に側面開口２０を設けると、ヒケ（凹み）が生じる部位がなくなるのでケース７の見栄えが良くなる。
【００５５】
（変形例４）
また、あるいは、図１１（Ａ）及び（Ｂ）に示すように、ケース７が、側面７ｂに形成された溝２１を有するようにしても良い。溝２１を備えることによって、側面７ｂの高さ、つまりケース７の厚みが、（視覚的に）分割されるので、ケース７が薄く見え、見栄えが良くなる。更に、溝２１によって、使用者がケース７を持ちやすくなる。
【００５６】
＜第２の実施形態＞
図１２に示された携帯電話機１Ｂは、本発明の第２の実施形態を示す携帯電子機器であり、スマートフォンのような一体型（ストレート型）の携帯端末に適用したものである。
【００５７】
携帯電話機１Ｂは、その基本的構成については第１の実施形態に係る携帯電話機１Ａと変わらないが、携帯電話機１Ａとは異なり表示筐体と操作筐体とが分かれていない一体型（ストレート型）であるため、ヒンジ部が存在せず、ヒンジ部内に設けられ表示部と操作部とを繋ぐ配線も設けられていない。なお、以下において、第２の実施形態に係る携帯電話機１Ｂの特徴を明確にするため、第１の実施形態に係る携帯電話機１Ａの備える特徴と重複する特徴については説明を概ね省略する。つまり、特に説明がない限り、携帯電話機１Ｂの構成部品は、携帯電話機１Ａと同様の構成部品である。
【００５８】
携帯電話機１Ｂは、ケース７８、液晶ディスプレイ５、タッチパネル９０、回路基板８、ＴＶ用ロッドアンテナ８０、通話用アンテナ８２及びカメラ５０を有する表示・操作部２２を備えている。
【００５９】
ケース７８は、通話用アンテナ８２を覆いケース７８の側面上部に面一に組み付けられる平板状のアンテナカバー７０３を備える。
【００６０】
液晶ディスプレイ５とタッチパネル９０とは、回路基板８に接続されるフレキケーブル６２とフレキケーブル６４とを夫々備えている。また、タッチパネル９０と回路基板８との間に、携帯電話機１Ｂの剛性を上げる目的でフレーム９２が組み込まれている。カメラ５０及びＴＶ用ロッドアンテナ８０は、第１の実施形態に係る携帯電話機１Ａと同様に、ケース７８に組み込まれる。なお、通話用アンテナ８２は、基端部がケース７８の側面に設けられた防水壁７６０を貫通して、回路基板８に接続され、ケース７８の側面に沿うようにケース７８の内部に配置される。
【００６１】
表示・操作部２２における液晶ディスプレイ５の外縁の下面に貼り付けられた防水両面テープ１６がオーバーハング部７ｃの上面に貼り付けられることで、携帯電話機１Ｂの上面からケース７８内部への水の浸入が防がれる。
【００６２】
アンテナカバー７０３を通話用アンテナ８２が配設されたケース７８の開放部に取り付けることを最後に組立てが完了するが、通話用アンテナ８２の収納部は浸水を許容しているため、アンテナカバー７０３は防水構造を持たない外装部品でもよい。
【００６３】
操作部３は、操作入力部として、ケース７の上面（の後述するオーバーハング部７ｃの上面）に貼り付けられるキーシート１２、キーシート１２の直下に設けられケース７内に収容されるキースイッチ基板９及びケース７内に収容される回路基板８を備える。
【００６４】
更に、操作部３は、各種機能を実行するものとして、カメラ５０、ＴＶ用ロッドアンテナ８０、通話用及びデータ通信用アンテナ８２（以下、通話用アンテナ８２と記載）、並びに携帯電話機１Ａに電力を供給する電池１０を備える。
【００６５】
上記の構成を備える第２の実施形態に係るストレート型の携帯電話機１Ｂについても、フレーム７８が上部筐体と下部筐体とから成る従来の筐体とは異なるため、第１の実施形態に係る折り畳み型の携帯電話機１Ａと同様の効果を奏することができる。
【００６６】
以上、説明したように、本発明によれば、携帯電子機器の操作部のフレームは、上部筐体と下部筐体とから構成されるものではなく、上部筐体と下部筐体の間に（防水性に難がある）結合のための継ぎ手を要しないので、携帯電子機器の防水性能が向上する。また、筐体の上面に形成された上面開口を通して、内部実装部品を筐体の内部に挿入実装して、その後に上面開口はシート状部材で覆蓋することができるので、一体的に形成されたフレームであっても携帯電子機器の容易に組み立てることができる。
【００６７】
さて、携帯電話機１Ａ、１Ｂを例にして、本発明の具体的実施態様を説明したが、これらは例示であって、本発明の技術的範囲を限定するものではない。本発明は、特許請求の範囲で示された技術的思想の範囲において、自由に応用、変形あるいは改良して実施できる。
【００６８】
例えば、上記実施形態において、合成樹脂を射出成型してケース７，７８を形成にする例を示したが、本発明の筐体は射出成型によって成型されるものには限定されない。各種の加工手段、加工方法を選択して、本発明の筐体を製造することができる。また、合成樹脂は電磁波を透過するので、携帯電話機の筐体にとって最適な素材である。また、電磁波に対する透過性を要求されなければ、筐体の素材は合成樹脂には限定されない、例えば各種金属であってもよいし、樹脂と金属を複合した複合素材であってもよい。
【００６９】
また、「上部筐体と下部筐体が一体に構成される」とは上部筐体と下部筐体が分離不能な状態で結合されていること、あるいは上部筐体と下部筐体の間に分離自在な継ぎ手が存在しないことを言う。また、筐体は、完成時において上部筐体と下部筐体が一体に構成されていれば十分であり、筐体を製造する途中のプロセスにおいて、上部筐体と下部筐体が分離していてもよい。例えば、上部筐体と下部筐体をそれぞれ別個に成型して、成型後に両者を、例えば接着や融着によって、分離不能に結合して製造された筐体も本発明の技術的範囲に含まれる。
【００７０】
上記実施形態に係る携帯電話機１Ａ，１Ｂにおいては、通信アンテナ８２及びＴＶ用ロッドアンテナ８０等がケース７，７８の側面に設けられるものとして説明したが、本発明はこれらを備えるものに限定されない。例えば、赤外線センサその他の電子部品を側面に設けるようにしてもよい。
【００７１】
また、上記実施形態においては、筐体の一部に開口を備える例、つまり、ケース７に上面開口１１、底面開口１３あるいは側面開口２０を備える例を示したが、これらの開口の一部あるいは全部がなくてもよい。あるいは、別の開口が追加されてもよい。
【００７２】
また、上記実施形態において、本発明に係る筐体の例として、携帯電話機１Ａの操作部３の外殻を構成するケース７を示したが、本発明の適用対象はケース７には限定されない。携帯電話機１Ａの表示部２の外殻にも本発明を適用できる。
【００７３】
また、第１の実施形態において、いわゆる折り畳み型の携帯電話端末（携帯電話機１Ａ）を示し、第２の実施形態において、いわゆるストレート型の携帯電話端末（携帯電話機１Ｂ）を示したが、本発明の適用対象の携帯電話端末は、これらのタイプには限定されない。表示部と操作部がスライド可能に取り付けられた、いわゆるスライド式の携帯電話端末であっても、折り畳み用のヒンジ軸に加えて該折り畳み用のヒンジ軸に直交する反転用ヒンジ軸を備えて、表示部が該反転用ヒンジ軸に回りに回転するように構成された、いわゆる２軸ヒンジ型の携帯電話端末であってもよい。
【００７４】
そもそも、本発明の適用対象は、携帯電話端末には限定されない。各種携帯電子機器、例えば、携帯電話、携帯情報端末、電子辞書、電子手帳、電子書籍、計算機、携帯型のパーソナルコンピュータなどの筐体に広く適用できる。
【００７５】
また、上記実施形態において、内部実装部品の例として、回路基板８、キースイッチ基板９及び電池１０を示したが、これらは例示であって、本発明の適用対象はこれらが実装される携帯電子機器には限定されない。内部実装部品とは、要するに、筐体の内部に実装されて、携帯電子機器を構成する部品である。部品の名称や機能は問われない。
【００７６】
また、第１の実施形態に係る携帯電話機１Ａにおいて、外面開口の例として、上面開口１１を示したが、外面開口は、筐体の上面に設けられた開口には限定されない。筐体の底面や側面に外面開口を設けて、該外面開口をシート状部材で覆蓋してもよい。例えば、底面開口１３や側面開口２０を外面開口としてもよい。この変形については、第２の実施形態に係る携帯電話機１Ｂについても同様に適用できる。
【００７７】
また、ケース７の横断面形を説明するに当たって、「上面」、「底面」の語を用いたが、これは説明の便宜のためであって、「上面」が常に「底面」よりも高い位置にあることを意味しない。本発明の技術的範囲の解釈においても同様である。例えば、図５を上下反転した構成、つまり、オーバーハング部が「底面」より低い位置にある構成が選ばれてもよい。要するに、ケースの横断面形が、全体として「Ｃ」字形を成していれば十分であり、「Ｃ」字形が、上下左右のいずれの方向に向いているかは問わない。
【００７８】
また、第１の実施形態において、シート状部材の例としてキーシート１２を示したが、本発明を構成するシート状部材はキーシート１２には限定されない。シート状部材は筐体に設けた開口（上面開口１１）を覆蓋できればよく、それ以外の機能は要求されない。また、シート状部材は柔軟性を備えていても良いし、固いものであってもよい。また、シート状部材を取り付ける筐体は、操作部３には限定されない。例えば、表示部２に開口を設けて、該開口を液晶ディスプレイ５で覆蓋するように構成すれば、液晶ディスプレイ５は本発明を構成するシート状部材として機能する。また、シート状部材は、全体としてほぼ平坦に構成されていればよいが、多少の凹凸が、つまり平面形の寸法に比べて小さい凹凸があってもよい。例えば、キーシート１２の表面に機械式のボタンスイッチを模した凸部を構成しても良いし、文字や図形が凹凸で表現されてもよい。
【００７９】
また、図面に示した携帯電話機１Ａの形状や寸法は例示である。そもそも該図面は、携帯電話機１Ａの機械的な構成を概念的に表示するものであって、現実の携帯電話機１Ａの形状や寸法を正確に表示するものではない。したがって、本発明の技術的範囲は、これらの形状や寸法によって限定されるものではない。
【００８０】
なお、上記の実施形態の一部又は全部は、以下の付記のようにも記載され得るが、以下には限られない。
【００８１】
（付記１）
外面の少なくとも一部を開放する外面開口を有し、回路基板を収容し、一体に構成される筐体と、
前記外面開口を覆蓋するシート状部材と、
使用者が操作する際に前記筐体における使用者に対向する面を正面とした場合に、前記正面に直交する側面に沿って配置されるアンテナと、を備える、
ことを特徴とする携帯電子機器。
【００８２】
（付記２）
前記筐体は、内部空間への水の浸入を遮断する防水壁を有し、
前記アンテナは、前記防水壁を貫通して前記回路基板に接続される、
ことを特徴とする付記１に記載の携帯電子機器。
【００８３】
（付記３）
前記筐体は、底面と、前記底面の端に配置されて前記底面に連続する一対の側面と、前記一対の側面それぞれの上端に配置されて前記各側面に連続する一対のオーバーハング部を有し、
前記一対のオーバーハング部の間に前記外面開口が形成されている、
ことを特徴とする付記１又は２に記載の携帯電子機器。
【００８４】
（付記４）
前記シート状部材は、前記筐体に接着されて、前記外面開口を水密に封止している、
ことを特徴とする付記１乃至３のいずれか１に記載の携帯電子機器。
【００８５】
（付記５）
前記アンテナは、通話用及びデータ通信用アンテナ及びＴＶ用アンテナの少なくともいずれか１つである、
ことを特徴とする付記１乃至４のいずれか１に記載の携帯電子機器。
【００８６】
（付記６）
前記筐体は、底面と、前記筐体の内部に前記底面から立ち上がる突起部とを備え、
前記突起部は、前記筐体の他の部分とは別に成型されて、前記筐体の他の部分の成型後に前記底面に結合されて前記筐体内に形成される、
ことを特徴とする付記１乃至５のいずれか１に記載の携帯電子機器。
【００８７】
（付記７）
前記筐体は、前記外面開口に対向するように他の面の一部が開放された他の開口を有し、
前記他の開口と前記外面開口の間にあって前記筐体の両側面を連結するダミーリブを備えて成型され、
前記ダミーリブは、前記筐体の成型後に切除される、
ことを特徴とする付記１乃至６のいずれか１に記載の携帯電子機器。
【００８８】
（付記８）
前記アンテナの前記防水壁を貫通する部位と前記防水壁とに、パッキンが密着している、
ことを特徴とする付記２に記載の携帯電子機器。
【００８９】
（付記９）
前記筐体内に設けられ、画像を撮像及び／又は映像を撮影するカメラと、
前記筐体に形成され前記カメラのレンズを露出する孔を前記筐体の外面から覆い、前記カメラの周囲空間を水密に封止する封止部材と、を更に備える、 
ことを特徴とする付記１乃至８のいずれか１に記載の携帯電子機器。
【符号の説明】
【００９０】
１Ａ，１Ｂ  携帯電話機
２  表示部
３  操作部
４  回動軸
５  液晶ディスプレイ
６  操作入力キー
７  ケース（筐体）
７ｃ  オーバーハング部
８  回路基板
９  キースイッチ基板（シート状部材）
１０  電池
１１  上面開口（外面開口）
１２  キーシート
１３  底面開口（他の開口）
１５  空間
１６  防水両面テープ
１７  ネジボス（突起部）
１９  ダミーリブ
２０  側面開口
２１  溝
５０２  化粧板（封止部材）
６０  配線
６００，８００  Ｏ−リング（パッキン）
７６，７７  防水壁
８０  ＴＶ用ロッドアンテナ
８２  通話用及びデータ通信用アンテナ
８２０  パッキン
【図１】
2013074343.tif 000003
【図２】
2013074343.tif 000004
【図３】
2013074343.tif 000005
【図４】
2013074343.tif 000006
【図５】
2013074343.tif 000007
【図６】
2013074343.tif 000008
【図７】
2013074343.tif 000009
【図８】
2013074343.tif 000010
【図９】
2013074343.tif 000011
【図１０】
2013074343.tif 000012
【図１１】
2013074343.tif 000013
【図１２】
2013074343.tif 000014